(57)【要約】【課題】  各家庭にある押入、ベッド、チェストに、シェルターの機能を加えることができることができる組立式地震シェルター及び地震シェルター用補強具を提供する。【解決手段】  強靱な天板の四隅をＬ型柱の一端の内側面にそれぞれ当接して固定すると共に、強靱な底板の四隅をＬ型柱の他端の内側面にそれぞれ当接して固定し、Ｌ型柱の長手方向に沿って一定間隔をおいて補強部材を横架してなる組立式地震シェルターにより課題を解決した。また、梯子状の枠を２つ組み合わせてＬ型形状をなすように固定し、かつ底部に三角プレートを取り付け、市販の二段ベッドの四隅に取り付け可能に構成されている地震シェルター用補強具により課題を解決した。【選択図】      図１
2005016293.tif 000002
【特許請求の範囲】
【請求項１】
強靱な天板と、同じく強靱な底板と、Ｌ型柱と、補強部材とからなり、押入の内部に収納される組立式地震シェルターであって、前記Ｌ型柱の一端の内側面を、前記天板の四隅にそれぞれ当接して固定すると共に、前記Ｌ型柱の他端の内側面を前記底板の四隅にそれぞれ当接して固定し、前記Ｌ型柱の長手方向に沿って一定間隔をおいて、前記補強部材を横架してなることを特徴とする組立式地震シェルター。
【請求項２】
下段部と、上段部と、Ｌ型柱と、梯子からなり、二段ベッドとして利用可能である組立式地震シェルターであって、前記Ｌ型柱の一端付近の内側面を、前記下段部の四隅にそれぞれ当接して固定すると共に、前記Ｌ型柱の他端付近の内側面を、前記上段部の四隅にそれぞれ当接して固定し、前記梯子を前記組立式地震シェルターの正面と裏面に固定してなることを特徴とする組立式地震シェルター。
【請求項３】
天板と、底板と、Ｌ型支柱と、天井板と、側板と、正面板と、背面板と、仕切板とからなり、チェストとして利用可能である組立式地震シェルターであって、前記Ｌ型支柱の一端付近の内側面を、前記天板の四隅にそれぞれ当接して固定し、前記Ｌ型支柱の他端付近の内側面を、前記底板の四隅にそれぞれ当接して固定すると共に、前記側板、前記正面板、前記背面板を、前記Ｌ型支柱の内側面に固定し、前記天井板を、前記Ｌ型支柱の一端面に固定し、かつ、前記Ｌ型支柱の長手方向に沿って一定間隔毎に、前記仕切板を取り外し可能に設置してなることを特徴とする組立式地震シェルター。
【請求項４】
天枠と、底枠と、側枠と、補強部材とからなる組立式地震シェルターであって、前記天枠、前記底枠、前記側枠のそれぞれに、その長手方向に沿って一定間隔毎に、前記補強部材を横架し、前記天枠、前記底枠、前記側枠のそれぞれの四隅を固定してなることを特徴とする組立式地震シェルター。
【請求項５】
頂点及びその付近を金属プレートを介して固定した直方体の外枠と、補強部材とからなり、ベッドの一端方向に備え付ける組立式地震シェルターであって、前記直方体の外枠の長手方向に沿って一定間隔をおいて、前記補強部材を横架してなることを特徴とする組立式地震シェルター。
【請求項６】
一対の支柱の長手方向に沿って一定間隔をおいて横架された補強部材からなる梯子状の枠を２つ組み合わせてＬ型形状をなすように固定すると共に、底部に三角プレートを取り付け、かつ市販の二段ベッドの四隅に取り付け可能に構成されていることを特徴とするの地震シェルター用補強具。
【発明の詳細な説明】
【技術分野】
【０００１】
本発明は、各家庭にある押入、ベッド、チェストに、シェルターの機能を保有させることができる組立式地震シェルター及び地震シェルター用補強具に関する。
【背景技術】
【０００２】
近年、静岡、愛知、三重の各県の沿海部に、太平洋の海底を震源地とする巨大地震の発生が予想され、各地各方向において、過去の震災例や、先の阪神淡路大震災の例を参考に、種々の対策が講じられつつあるが、それには、公共機関が行うべき対策と、各個人が行うべき対策がある。
【０００３】
種々の対策の中で最も多いのが各住家への対策で、具体的には、耐震診断に基づく対策や耐震補強等がある。
【０００４】
殊に１９８１年の基準改正前の木造建物は被災の畏れが最も高いとされているが、この中には建物の立地条件や所有関係等から居住者の意志に係わらず、補強不能の物件も少なくない。それに経済的理由も加わり、放置されているものが多いが、これに対し、行政的措置も私有財産であるので、困難である。
【０００５】
一般に、地震による建物の倒壊は、煉瓦造等の組積構造（我が国では少ない）の場合は、瞬時に崩壊して、屋内にいた人は生き埋め状態になる例が多いが、木造（我が国で多い）の場合には、揺れが次第に増幅していき、ある時間を経過して倒壊し、内部に間隙や空間が残るので、屋内にいた人も落下物の直雲を受けず、火災の発生がない場合には、救出される例が多い。
【０００６】
又地震対策としては、耐震と、免震と、避震とがあり、耐震は、地震に対しハードに対応する剛構造であり、免震は、地震に対しソフトに対応する柔構造である。これに対し、避震には、地震に正面から対応するのではなく、地震を可能な限り回避するという意味がある。
【特許文献１】特開平１０−１８４０６８号公報
【発明の開示】
【発明が解決しようとする課題】
【０００７】
建物自体を耐震構造として新たに建て直したり、既に建てられた建物に耐震補強工事を施したりすれば、地震が起こっても、建物が崩壊しないので、震災被害を軽減することができる。
【０００８】
ところが、これらの新築工事、耐震補強工事は、莫大な費用がかかり、手軽に行うことができるものでない。また、これらの耐震構造の建物では、建物自体が倒壊することがなくても、屋内に設置された家具が転倒する畏れがあり、屋内の居住者の安全確保の面から必ずしも十分であるとはいえない問題点があった。
【０００９】
ここで、居間、寝室等の一隅に避難用シェルターを設置しておけば、危険を察知した場合には、速やかに退避ができ、病人、傷害者等の災害弱者でも、死傷を免れることができる。
【００１０】
そこで、本発明は、上記の点に鑑み、各家庭にある押入、ベッド、チェストに、シェルターの機能を保有させることができる組立式地震シェルター及び地震シェルター用補強具を提供することを目的とするものである。
【課題を解決するための手段】
【００１１】
本発明者は、前記課題を解決すべく、建物が災害時に損壊するのはやむを得ないことと認めた上で、人身の死傷だけは何とか回避できないかと考え、鋭意研究を重ねた結果、前記従来の問題点を解決することができる対策を考え付き、本発明を完成した。
【００１２】
即ち、本発明の組立式地震シェルターは、強靱な天板と、同じく強靱な底板と、Ｌ型柱と、補強部材とからなり、押入の内部に収納される組立式地震シェルターであって、前記Ｌ型柱の一端の内側面を前記天板の四隅にそれぞれ当接して固定すると共に、前記Ｌ型柱の他端の内側面を、前記底板の四隅にそれぞれ当接して固定し、前記Ｌ型柱の長手方向に沿って一定間隔をおいて、前記補強部材を横架してなるものである。
【００１３】
本発明の他の組立式地震シェルターは、下段部と、上段部と、Ｌ型柱と、梯子からなり、二段ベッドとして利用可能である組立式地震シェルターであって、前記Ｌ型柱の一端付近の内側面を、前記下段部の四隅にそれぞれ当接して固定すると共に、前記Ｌ型柱の他端付近の内側面を、前記上段部の四隅にそれぞれ当接して固定し、前記梯子を前記組立式地震シェルターの正面と裏面に固定してなるものである。
【００１４】
また、本発明のその他の組立式地震シェルターは、天板と、底板と、Ｌ型支柱と、天井板と、側板と、正面板と、背面板と、仕切板とからなり、チェストとして利用可能である組立式地震シェルターであって、前記Ｌ型支柱の一端付近の内側面を、前記天板の四隅にそれぞれ当接して固定し、前記Ｌ型支柱の他端付近の内側面を、前記底板の四隅にそれぞれ当接して固定すると共に、前記側板、前記正面板、前記背面板を、前記Ｌ型支柱の内側面に固定し、前記天井板を、前記Ｌ型支柱の一端面に固定し、かつ、前記Ｌ型支柱の長手方向に沿って一定間隔毎に、前記仕切板を取り外し可能に設置してなるものである。
【００１５】
そして、本発明のその他の組立式地震シェルターは、天枠と、底枠と、側枠と、補強部材とからなる組立式地震シェルターであって、前記天枠、前記底枠、前記側枠のそれぞれに、その長手方向に沿って一定間隔毎に、前記補強部材を横架し、前記天枠、前記底枠、前記側枠のそれぞれの四隅を固定してなるものである。
【００１６】
さらに、本発明のその他の組立式地震シェルターは、頂点及びその付近を金属プレートを介して固定した直方体の外枠と、補強部材とからなり、ベッドの一端方向に備え付ける組立式地震シェルターであって、前記直方体の外枠の長手方向に沿って一定間隔をおいて、前記補強部材を横架してなるものである。
【００１７】
本発明の地震シェルター用補強具は、一対の支柱の長手方向に沿って一定間隔をおいて横架された補強部材からなる梯子状の枠を２つ組み合わせてＬ型形状をなすように固定すると共に、底部に三角プレートを取り付け、かつ市販の二段ベッドの四隅に取り付け可能に構成されているものである。
【００１８】
前記本発明において、Ｌ型柱を採用したが、強度上適切な柱であれば、断面形状に制約を受けるものではない。例えば、金属製ならばＬ型柱が多いが、木製ならば矩形を二枚使用したＬ型又は断面方形柱が普通である。
【００１９】
一般に地震による建物の倒壊は、煉瓦造等の組積造の場合には瞬時に崩壊して、屋内に居た人は生き埋め状態になる例が多い。然し木造の場合には、揺れが次第に増幅して行き、ある時間を経過して倒壊し、内部に間隙や空間が残るので、屋内に居た人も落下物の直撃を受けず、火災の発生がない場合は救出される例が多い。発明者はこのことに着目して、居室・寝室の一隅に避難用シェルターを設置しておけば、危険を察知した時速やかに退避ができて、病人、傷害者等の災害弱者でも死傷を免れることができる。そこでこれを目的別と形式別に分け、シリーズとして、ケースに応じ最適のものを選定購入して、自身で組み立て可能なものとしたのである。
【００２０】
本発明には次にタイプがある。
【００２１】
（１）ファミリータイプ：これは親子、兄弟等家族（３人）で利用するものである。
【００２２】
（ａ）押入れサイズ：旧来に和風住宅では多く寝室と居室は兼用され、畳敷で押入れが必ず付随しており、それには中段が設けられ、主に寝具や衣料が収納されている。そこでその中段を取りはらい床等を補強の上、別図の様なシェルターを据え付ける。この際建物には固着しない。また、平常は押入れとして使用する。
【００２３】
（ｂ）ベッドサイズ：これは洋風寝室に設置されるもので、通常は２段ベッドとして、地震時にはその下段部に退避する。
【００２４】
（２）パーソナルタイプ：近年は年令を問わず単身生活者が増えている。その中で老齢者は和室、若齢者は洋室の場合が多い。
【００２５】
（ａ）押入れサイズ：これは前述のように寝室に付随する押入れの中段を取りはらい、別図のようなシェルターを据付けるもので平常は押入れとして使用する。
【００２６】
（ｂ）チェストサイズ：これは洋風寝室に設置されるもので、通常はチェスト又はハンガーとして利用し、地震時には内蔵物を取り除き、その中に退避する。
【００２７】
このように４種類のシェルターが用意されているので、最適のものを選択できる。
【００２８】
本発明の組立式地震シェルター及び本発明の地震シェルター用補強具を取り付けた地震シェルターは、地震時に予想されるあらゆる負荷に対し安全であるよう、充分な強度を有すると共に、その製作、搬入、組立に配慮した設計図を作製する。
【００２９】
次いで、それに基づき、夫々所定の木材又は鉄材を用いて裁断と加工をして柱材、枠材、天板材、底板材等のセットを作製する。その製作量が少ない場合には、木製の方が扱いやすいが、多くなれば、鋼製の方が強度的な信頼性も高く、量産効果も期待できる。
【００３０】
ここで、押入に収納するもの以外は、通常屋内に家具として備えられるものであるので、形状、色彩を配慮するのが望ましい。
【００３１】
そして、この中から所要のものを選定し、現場に搬入し組立ての上、所定場所に据え付ける。この際、ＤＩＹ（Ｄｏ  ｉｔ  ｙｏｕｒｓｅｌｆ）でも簡単に施工できるように接合部は簡潔なものとする。
【００３２】
また、近年科学の進歩により、ある種の地震については、予知可能とされ、その手段については現在次の三段階が定められている。（１）判定会の招集、（２）警戒宣言の発令、（３）直前警報発令となっている。
【００３３】
本発明は次の情報に応じ、夫々のシェルターを次に様に対応する。
【００３４】
（１）の場合：・日常生活をなるべくシェルターの周囲に集中する。
【００３５】
（２）の場合：・シェルター内の収納品を取り出し、防塵の為毛布等で全面を覆う。
【００３６】
・シェルター内の常備品、非常用品を点検整備する。
【００３７】
・シェルターの戸を常時開放すると共に、就床時の着衣も納める。
【００３８】
（３）の場合：・地震を感知したら既定の同室者と速やかに退避し、終息を待つ。
【００３９】
・脱出不能と判断した時は、ブザー等で発信をしつつ、救出を待つ。
【発明の効果】
【００４０】
本発明の組立式地震シェルター及び本発明の地震シェルター用補強具は、ノックダウン方式であるため、誰にでも、簡単に、組立と据付けができる。
【００４１】
本発明の組立式地震シェルターは、平常は、シェルター以外の本来の用途（押入、ベッド、チェスト又はハンガー）に使用することができるので、収納上邪魔になるおそれはない。
【００４２】
本発明の組立式地震シェルターは、補強困難な建物や借家等にも簡単に設置できる上、低価格に、かつ容易にできる。
【００４３】
また、本発明の地震シェルター用補強具は市販の二段ベッドに容易に取り付けることができる上、本発明の地震シェルター用補強具を取り付けた市販の二段ベッドは、その二段ベッドそのものを地震シェルターにすることができ、改めて地震シェルターを組み立てたり、購入したりする必要がなくなる。
【００４４】
本発明の組立式地震シェルター及び本発明の地震シェルター用補強具を取り付けた地震シェルターを用いれば、無理な避難や脱出の必要もなく、楽な姿勢で待避を続けることができるのみならず、本施設の設置場所と避難者名を地域に登録すれば、救助活動に有効である。
【００４５】
本発明の組立式地震シェルター及び本発明の地震シェルター用補強具を取り付けた地震シェルターにより、地震の際の災害弱者の避難等、日常の訓練を具体的に行うことができる。また建物に固着しないので、転居などの際一般家具と同様に持ち運びができる。
【００４６】
上記により、日常の不安が軽減される上、緊急時の対応に余裕が生まれるので、安心して日常生活ができる効果がある。
【発明を実施するための最良の形態】
【００４７】
以下、添付図面を参照して本発明の好ましい実施の形態を説明する。元来地震予知については、科学の進歩により、次第に広範囲に亘り、精度の高い情報が得られるようになっているが、発生時に対応する末端における各人の行動は、各自の判断によるため、常日頃の適切な準備と対策が必要である。
【００４８】
然して地震災害は不可避と認められるため、最小限、人身の死傷だけは回避する必要があるが、そのためには、発生時に瞬時に退避できる身近な地震シェルターが最も有効であると考えられる。
【００４９】
ここで、地震シェルターには、現在の全ゆる状況の建物に簡便に適応できることが要求されるため、組立式で誰にでも据え付けすることができる上、平常時にも邪魔にならないものが望ましい。
【００５０】
本発明の組立式地震シェルターは、誰にでも据え付けることができる組立式であり、平常時に邪魔にならず、発生時に瞬時に退避できて、災害弱者にも適切に対応し、日常の不安も軽減される上、救助活動にも役立つものである。
【００５１】
本発明の組立式地震シェルターは、用途別には、家庭（ファミリー）用、個人（パーソナル）用などに分類することができる。また、形状別には、押入用、チェスト用、ベッド用などに分類することができると共に、構造材別には、木製、鋼製などに分類することができる。
【実施例１】
【００５２】
本発明の実施例を図面に基づいて説明すると、図１は、本発明の組立式地震シェルターの組立時の一実施例を示したものであり、押入の内部に収納される、押入一間タイプのシェルター１０で、親子、兄弟等家族（３人）で利用するものである。
【００５３】
図１に示した押入一間タイプのシェルター１０は、天板１１と底板１４が矩形状となる。
【００５４】
木製のＬ型柱１７の一端の内側面は、木製のすの子状板１２の周縁に補強材１３を設けた天板１１の四隅にそれぞれ当接してボルトで固定し、木製のＬ型柱１７の他端の内側面は、木製のすの子状板１５の周縁に補強材１６を設けた底板１４の四隅にそれぞれ当接してボルトで固定する。このような構造により、水平方向の衝撃に対しても耐え得るようになる。
【００５５】
また、Ｌ型柱１７には、その長手方向に沿って、一定間隔をおいて、すの子状板１２、１５の間隙方向と垂直になるように、２本の木製の補強部材１８、１８を横架する。この構造によって、水平方向の衝撃に対する耐久性が強化される。
【００５６】
なお、図１では、木製の天板１１は、木製のすの子状板１２の周縁に補強材１３を設けた構造を採用し、木製の底板１４は、木製のすの子状板１５の周縁に補強材１６を設けた構造を採用しているが、これに限定されず、天板及び底板は強靱な板状物であればどのようなものであっても用いることができる。
【００５７】
旧来の和風住宅では、多くの寝室と居間は兼用され、畳敷で押入が必ず付随しており、それには、中段が設けられ、主に寝具や衣類が収納されている。そこで、その中段を取り払い、床等を補強の上、図１に示した、押入一間タイプのシェルター１０を据え付ける。その際建物には固着しない。押入一間タイプのシェルター１０は、通常は平常押入として使用することができる。
【００５８】
近年は、年齢を問わず、単身生活者が増えている。その中で老齢者は和室の場合が多く、若齢者は洋室の場合が多い。図２は、本発明の組立式地震シェルターの他の組立時の一実施例を示したものであり、押入の内部に収納される、押入半間タイプのシェルター２０で、一人で利用するものである。
【実施例２】
【００５９】
本発明の他の実施例を図２に基づいて説明すると、図２に示す押入半間タイプのシェルター２０は、天板２１と底板２４が正方形状となる。
【００６０】
木製のＬ型柱２７の一端の内側面は、木製のすの子状板２２の周縁に補強材２３を設けた天板２１の四隅にそれぞれ当接してボルトで固定し、この木製のＬ型柱２７の他端の内側面は、木製のすの子状板２５の周縁に補強材２６を設けた底板２４の四隅にそれぞれ当接してボルトで固定する。このような構造により、水平方向の衝撃に対しても耐え得るようになる。
【００６１】
また、Ｌ型柱２７には、その長手方向に沿って、一定間隔をおいて、すの子状板２２、２５の間隙方向と直角になるように、２本の木製の補強部材２８、２８を横架する。この構造によって、水平方向の衝撃に対する耐久性が強化される。
【００６２】
前記木製の天板２１は、木製のすの子状板２２の周縁に補強材２３を設けた構造を採用し、木製の底板２４は、木製のすの子状板２５の周縁に補強材２６を設けた構造を採用しているが、これに限定されず、天板及び底板は強靱な板状物であればどのようなものであっても用いることができる。
【００６３】
この押入半間タイプのシェルター２０も、上述のように、部屋に付随する押入の中段を取り払い、床等を補強の上、据え付け、平常は押入として使用することができる。
【実施例３】
【００６４】
本発明の他の実施例を図３に基づいて説明すると、図３は、本発明の組立式地震シェルターの他の組立時の一実施例を示したもので、二段ベッドタイプのシェルター３０である。
【００６５】
下段部３３の四隅は、木製のＬ型柱３２の一端付近の内側面に当接して固定し、上段部３４の四隅は、木製のＬ型柱３２の他端付近の内側面に当接して固定する。このような構造により、水平方向の衝撃に対しても十分耐え得るようになる。
【００６６】
二段ベッドタイプのシェルター３０の正面と裏面の両面には、梯子３１、３１を固定する。この構造によって、水平方向の衝撃に対する耐久性が強化される。
【００６７】
この二段ベッドタイプのシェルター３０は、洋風寝室に設置され、通常は二段ベッドとして利用することができ、地震時には、その下段部３３に避難することができるものである。
【００６８】
本発明の二段ベッドタイプのシェルター３０以外に、本発明の地震シェルター用補強具を市販のベッドに取り付けても、市販のベッドそのものを、本発明の二段ベッドタイプのシェルター３０と同様の地震シェルターにすることができる。
【００６９】
二段ベッドには当初から一体として二段に製作されたものと、二台のベッドを積み上げたものがあり、その大きさも多様である。そして何れも垂直方向の強度は充分であるが、地震等による水平方向の衝撃には不十分であるものが多い。
【００７０】
そこで、本発明の地震シェルター用補強具を、市販の二段ベッドに取り付け、水平方向の衝撃にも十分耐え得るようにする。
【実施例４】
【００７１】
本発明の他の実施例を図４について説明すると、図４は、本発明の組立式地震シェルターの他の組立時の一実施例を示したものであり、チェストタイプのシェルター４０である。
【００７２】
木製の天板４２の四隅は、木製のＬ型支柱４１の一端付近の内側面に当接して固定し、木製の底板４３の四隅は、木製のＬ型支柱４１の他端付近の内側面に当接して固定する。このような構造により、水平方向の衝撃に対しても充分耐え得るようになる。
【００７３】
木製の側板４４、４４、木製の背面板４６は、木製のＬ型支柱４１の内側面に固定する。木製の天井板４７は、木製のＬ型支柱４１の一端面に固定する。
【００７４】
木製の仕切板４８、４８は、木製のＬ型支柱４１の長手方向に沿って一定間隔毎に取り外し可能に設置する。
【００７５】
このチェストタイプのシェルター４０は、洋風寝室に設置され、通常はチェスト又はハンガーとして利用し、地震時には、内容物を取り除いて、その中に退避することができるものである。
【実施例５】
【００７６】
本発明の他の実施例を図５について説明すると、図５は、本発明の組立式地震シェルターの他の組立時の一実施例を示したものであり、チェスト５１を内部に収納することができるチェスト収納タイプのシェルター５０である。
【００７７】
天枠５２、底枠５３、側枠５４は、それぞれ、スチール製角パイプをボルトで締めた外枠に、その外枠の長手方向に沿って、一定間隔毎に、スチール製補強部材５５を横架したものである。このスチール製の天枠５２、底枠５３、側枠５４のそれぞれの四隅を、ボルトで固定する。このような構造により、水平方向の衝撃に対する耐久性が強化される。
【００７８】
また図６は、本発明の組立式地震シェルターの他の組立時の一実施例を示したものであり、直方体の外枠をシングルベッド６１の一端方向に備え付けるオーバーベッドタイプのシェルター６０である。
【００７９】
直方体の外枠６２は、角パイプを組み合わせ、頂点及びその付近を、三角の金属プレート６３を介してボルト４５で締め付ける。このような構造により、水平方向の揺れにも充分耐え得るようになる。
【００８０】
また、直方体の外枠６２には、その長手方向に沿って一定間隔をおいて補強部材６４、６４を横架する。このような構造により、水平方向の衝撃に対する耐久性が強化される。
【００８１】
このオーバーベッドタイプのシェルター６０は、シングルベッド６１に取り付けるものであるが、現用ベッドは多種多様であるので、その大きさ、形状に適応できるよう、高さ及び幅を伸縮自在に製造することが好ましい（実施例は伸縮できないタイプである）。
【００８２】
別に厚板２面（不図示）を用意し、平常はこの厚板を側枠の間に渡し、棚板とするが、発令後は、この厚板を直方体の外枠６２の上部に重ねて天板とし、シート又は毛布で覆うようにする。
【実施例６】
【００８３】
本発明の地震シェルター用補強具の一実施例を図７に示す。
【００８４】
図７は、スチール製梯子状の枠７１は、一対の支柱７２、７２と、この一対の支柱７２、７２の長手方向に沿って一定間隔をおいて横架された補強部材７３からなる。このスチール製梯子状の枠７１を２つ組み合わせてＬ型形状をなすように組み合わせ、ボルトにより固定する。底部は、水平方向の衝撃に対する耐久性を強化するための三角プレート７４を介して、ボルトにより固定する。
【００８５】
このような構成の地震シェルター用補強具７０を市販の二段ベッド１１０の任意部分に取り付け、さらに、下段ベッドをシート又は毛布で覆うと、市販のベッドが地震シェルターに変わる。
【実施例７】
【００８６】
本発明の他の実施例を図８に基づいて説明すると、スチール製の底枠７５とスチール製の天枠７６とに、スチール製の左右側枠７７、７７を各連結部７８で連結して枠シェルター８０を構成した。
【００８７】
前記構成によれば、上下左右からの外力に対し、十分の抗力を有するので、地震に際し、安全なシェルターとしての強度を有する。
【実施例８】
【００８８】
本発明の他の実施例を図９、１０について説明する。図９（ａ）は、頂板８１と側脚杆８２からなるテーブルシェルター８３であり、（ｂ）は、頂板８４と脚杆８９からなるベンチシェルター９０であり、（ｃ）は頂板９１と、底板８５と、側枠８６、８６からなるワゴンシェルター８７である（キャスター８８付）。
【００８９】
次に図１０（ａ）は、横支枠９２と、これを支えるキャスター９４付の走行枠９３よりなるストレッチャーシェルター９５であり、（ｂ）は底板９６の四周に角筒状の側板９７を設けたバスタブシェルター９８である。
【００９０】
前記各シェルターは、当然のことながら予想される垂直、水平荷重に対し、十分の強度を保有するように設計してある。
【実施例９】
【００９１】
本発明の利用状況を図１１、１２について説明すると、図１１（ａ）は、単身用シェルター９９の正面図、（ｂ）は、頂板を除去した平面図、（ｃ）は２連シェルター１００（３名用）の頂板を除去した平面図であって、図中１０１は頂板、１０２は毛布、
１０３は防水シート、１０４はクッション用の布団である。
【００９２】
次に図１２（ａ）は家族（４名）用シェルター１０５の正面図、（ｂ）は同じく頂板１０９を除去した平面図であって、図中１０６は毛布、１０７は防水シート、１０８はクッション用の布団である。前記のように比較的短時間の安全を確保する為に最小限の空間を確保し、かつ身体に外力（例えば倒れた柱など）が加えられないようにしてある。
【００９３】
従って家屋の構造によっては、比較的長時間（１時間〜２０時間）の居住に耐え得るように空間を拡大することも考えられる。
【図面の簡単な説明】
【００９４】
【図１】（ａ）本発明の組立式地震シェルターの組立時の一実施例を示す斜視図、（ｂ）同じく一部断面図。
【図２】同じく他の一実施例を示す斜視図。
【図３】同じく他の一実施例を示す斜視図。
【図４】同じく他の一実施例を示す斜視図。
【図５】同じく他の一実施例を示す斜視図。
【図６】（ａ）同じく他の一実施例を示す斜視図、（ｂ）同じくボルト固定を示す一部拡大図。
【図７】同じく他の一実施例を市販のベッドに取り付けた場合における斜視図。
【図８】（ａ）同じく基シェルターの展開斜視図、（ｂ）同じく組立て斜視図。
【図９】（ａ）同じくテーブルシェルターの斜視図、（ｂ）同じくベンチシェルターの斜視図、（ｃ）同じくワゴンシェルターの斜視図。
【図１０】（ａ）同じくストレッチャーシェルターの斜視図、（ｂ）同じくバスタブシェルターの斜視図。
【図１１】（ａ）同じく使用状態の一部を省略した平面図、（ｂ）同じく一部を省略した正面図、（ｃ）同じく２連シェルターの一部を省略した平面図。
【図１２】（ａ）おなじく家族用シェルタ―の一部を省略した正面図、（ｂ）同じく一部を省略した平面図。
【符号の説明】
【００９５】
１０  押入一間タイプのシェルター
１１  天板
１２、１５  すの子状板
１３、１６  補強材
１４  底板
１７  Ｌ型柱
１８  補強部材
２０  押入半間タイプのシェルター
２１  天板
２２、２５  すの子状板
２３、２６  補強材
２４  底板
２７  Ｌ型柱
２８  補強部材
３０  二段ベッドタイプのシェルター
３１  梯子
３２  Ｌ型柱
３３  下段部
３４  上段部
４０  チェストタイプのシェルター
４１  Ｌ型支柱
４２  天板
４３  底板
４４  側板
４５  正面板
４６  背面板
４７  天井板
４８  仕切板
５０  チェスト収納タイプのシェルター
５１  チェスト
５２  天枠
５３  底枠
５４  側枠
５５  スチール製補強部材
６０  オーバーベッドタイプのシェルター
６１  シングルベッド
６２  直方体の外枠
６３  三角の金属プレート
６４  補強部材
７０  地震シェルター用補強具
７１  梯子状の枠
７２  支柱
７３  補強部材
７４  三角プレート
【図１】
2005016293.tif 000003
【図２】
2005016293.tif 000004
【図３】
2005016293.tif 000005
【図４】
2005016293.tif 000006
【図５】
2005016293.tif 000007
【図６】
2005016293.tif 000008
【図７】
2005016293.tif 000009
【図８】
2005016293.tif 000010
【図９】
2005016293.tif 000011
【図１０】
2005016293.tif 000012
【図１１】
2005016293.tif 000013
【図１２】
2005016293.tif 000014